(57)【要約】【課題】本焼成時に皿が破損したり歪んだりするのを防止する。【解決手段】皿本体２に連続する装飾壁３を備えた陶磁製皿において；前記皿本体２は、床部６から突出する中央補強隆起部５を備えており、前記床部６の表面には、ガラス層６Ｌが形成されている。【選択図】  図２
2005298258.tif 000002
【特許請求の範囲】
【請求項１】
皿本体に連続する装飾壁を備えた陶磁製皿において；
前記皿本体は、床部から突出する中央補強隆起部を備えており、
前記床部の表面には、ガラス層が形成されていることを特徴とする陶磁製皿。
【請求項２】
中央補強隆起部の裏面には、凹状の空間部が形成されていることを特徴とする請求項１記載の陶磁製皿。
【請求項３】
皿本体に連続する装飾壁と、該皿本体の裏面に形成された高台と、を備えた陶磁製皿において；
前記皿本体の表面には、ガラス層が形成されており、
前記皿本体の裏面には、前記高台と同心状に形成された複数の補強リング部が突設されていることを特徴とする陶磁製皿。
【請求項４】
補強リング部は、２重に形成され、その高さは、高台より低いことを特徴とする請求項３記載の陶磁製皿。
【請求項５】
皿本体の裏面、又は、高台には、滑り止め部材が設けられていることを特徴とする請求項１，２，３，又は、４記載の陶磁性皿。
【発明の詳細な説明】
【技術分野】
【０００１】
この発明は、食器や装飾品等として用いられる皿に関するものであり、更に述べると、皿本体にガラス層が形成されている陶磁製皿に関するものである。
【０００２】
レストラン、割烹、一般家庭等では、美的に優れた皿が好まれるが、この皿として、皿本体の表面に、神秘的に輝くブルーのガラス層が形成されている陶磁製皿が用いられている。このガラス層は、もともと透明のガラスで、土が熱に溶けガラスと融合することにより、マリンブルー、コバルトブルー、エメラルドグリーンのグラデーションが出現するものである。前記ガラスは、自然発色なので、焼き物に広がるグラデーションは、一つ一つが違った表情を持ち、光の当たり方により色合いが変わって見えるのである。
【発明の開示】
【発明が解決しようとする課題】
【０００３】
ガラス層を有する陶磁製皿を製作する際、前記ガラス層の面積が大きい場合、例えば、直径20cmの場合、には、施釉後本焼成すると、ほとんどの皿が、割れたり、亀裂が入ったり、又は、歪んだりするので、商品とすることができない。
【０００４】
この発明は、前記事情に鑑み、焼成時に皿が破損したり歪んだりするのを防止することを目的とする。
【課題を解決するための手段】
【０００５】
この発明は、皿本体に連続する装飾壁を備えた陶磁製皿において；前記皿本体は、床部から突出する中央補強隆起部を備えており、前記床部の表面には、ガラス層が形成されていることを特徴とする。前記中央補強隆起部の裏面には、凹状の空間部が形成されていることを特徴とする。
【０００６】
この発明は、皿本体に連続する装飾壁と、該皿本体の裏面に形成された高台と、を備えた陶磁製皿において；前記皿本体の表面には、ガラス層が形成されており、前記皿本体の裏面には、前記高台と同心状に形成された複数の補強リング部が突設されていることを特徴とする。前記補強リング部は、二重に形成され、その高さは、高台より低いことを特徴とする。
【０００７】
前記皿本体の裏面、又は、高台には、滑り止め部材が設けられていることを特徴とする。前記滑り止め部材は、シリコン材、又は、ゴム材で形成されていることを特徴とする。
【発明の効果】
【０００８】
この発明は、中央補強隆起部、又は、補強リング部を設けたので、焼成時にガラス層の伸びる力が素地に加わっても、その力を規制することができる。そのため、皿が破損したり歪んだりするのを防止することができる。
【発明を実施するための最良の形態】
【０００９】
ガラス層の原料となる釉薬は、粘土素地の表面にただ薄く溶けて付いているだけでなく、粘土素地と釉薬が一部溶け合って素地でもない釉薬でもない中間層が生まれ、この中間層ができることによって焼き物の強度が向上し、外観上釉薬と素地の一体感を醸し出す。この釉薬は、ガラス層を形成する際に体積が増加して伸びるので、素地には伸びる方向の力が働くことになる。
【００１０】
又、焼成により粘土素地は縮み、縮む方向の力を受ける。従って、粘土素地は、焼成時において、伸びる方向の力と縮む方向の力を同時に受けることになる。
【００１１】
本発明者は、焼成時に陶磁製皿が破損や歪んだりするのは、前述の様に、粘土素地が互いに反対方向の力を受けることに、原因があると考えた。そこで、皿本体に中央補強隆起部を形成したり、又は、高台を有する皿本体の裏面に複数の補強リング部を形成したりして粘土素地を補強したところ、焼成時に陶磁製皿が破損したり歪んだりすることが無くなった。本発明は、上記知見に基づいてなされたものである。
【００１２】
この発明の第１実施の形態を図１、図２により説明する。
成形工程：
予め選択した粘土を用いて皿１を成形する。この皿１は、皿本体２と、該皿本体２に連続する装飾壁３と、を備えている。
【００１３】
皿本体２は、略正方形状であり、床部６と中央補強隆起部５と、を備えている。この中央補強隆起部５は、皿本体２の中央部に突設されており、その裏面には、凹状の空間部５ｋが設けられ、その肉厚は、床部６のそれと同一に形成されている。前記隆起部５の表面の面積は、床部６の表面の面積より小さく、例えば、約１／２であるが、両者の面積の割合は、必要に応じて適宜選択される。
【００１４】
装飾壁３は、大傾斜壁部３ａと、該壁部３ａに連続する隅傾斜壁部３ｂと、を備えている。前記傾斜壁３ａ、３ｂの上縁３ｃ、３ｄは、接続部３ｅに向かって下方に傾斜している。
【００１５】
乾燥・素焼き工程：
前記皿１を自然乾燥させた後、素焼きする。
【００１６】
施釉工程；
素焼きされた皿１に、施釉する。床部６には、ガラス層が形成可能な釉薬、例えば、ガラスの粒と色のでる土を含む釉薬を用い、中央補強隆起部５には乳白色を発色する釉薬を用い、装飾壁３には、油滴天目が形成可能な釉薬を用いる。
【００１７】
本焼成工程：
前記皿１を本焼成すると、各釉薬は溶け、装飾壁３の表面には、油滴天目層３Ｌが形成され、床部６の表面には、ガラス層６Ｌが形成され、又、中央補強隆起部５の表面には、乳白色層５Ｌが形成される。前記ガラス層６Ｌは、神秘的に輝くブルーであり、マリンブルー、コバルトブルー、エメラルドグリーンのグラデーションが出現する。
【００１８】
前記焼成時において、ガラス層６Ｌと粘土素地とは、一部解け合い中間層が形成され、両者は一体となるので、ガラス層６Ｌが伸びると素地も引っ張られて伸びる方向の力を受ける。床部６の素地には、伸びる方向の力と、焼成に伴う縮む方向の力とが加わるが、該素地に連続する中央補強隆起５により伸びる力は規制される。そのため、粘土素地に無理な力がかかることはないので、陶磁製皿の破損や歪みの発生を防止することができる。
【００１９】
又、ガラス層６Ｌの面積、即ち、床部６の面積は、皿本体２の面積から中央補強隆起部５を引いた値となるので、皿本体２の全表面にガラス層を形成する場合に比べ、ガラス層の伸び力が小さくなる。この点も陶磁製皿の破損や歪みの発生を防止するに貢献している。
【００２０】
なお、中央補強隆起部５は、目立つ部分であり、料理の載置部として利用すると料理を引き立たせることができる。
【００２１】
この発明の第２実施の形態を図３により説明するが、図１、図２と同一図面符号は、その名称も機能も同一である。
この実施の形態と第１実施の形態との相違は、皿本体２の裏面に滑り止め部材２０が設けられていることである。この部材２０は、正方形状に形成した、皿本体２の四隅に突設され、シリコン材、又は、ゴム材等の弾性部材で形成されている。この部材２０は、滑り止めとして機能する他、テーブル等に皿をおいた時等に、該テーブル面に擦り傷等が付かないようにする、所謂傷つき防止機能を有する。
【００２２】
この発明の第３実施の形態を図４〜図６により説明するが、図１，図２と同一図面符号は、その名称も機能も同一である。
この実施の形態と第１実施の形態との相違は、次の通りである。
(1)皿本体３２が円盤状に形成され、その中央部に中央補強突起部が存在しないこと。
【００２３】
(2)皿本体2と連続する装飾壁３３が、円錐台状に形成され、その上端縁３３ｆが同一平面上に位置していること。
(3)皿本体３２の裏面に高台３５が設けられていること。
【００２４】
(4) 高台３５の内側に、２重の補強リング部３７，３８が設けられていること。この補強リング部３７，３８は、高台３５と同心状に形成されている。この補強リング部３７，３８の太さ(幅)、高台３５との間隔、又は，両リング部３７，３８間の間隔、補強リング部の数、等は、必要に応じて適宜選択されるが、本発明が対象とする大きさの皿、例えば、直径３０cmの陶磁製皿、の場合は、少なくとも補強リング部は、複数本必要である。なお、補強リング部３７，３８は、ガラス層６Ｌに対向している。
【００２５】
前述のように、本焼成の際には、粘土素地に縮む方向の力と、ガラス層６Ｌによる伸び方向の力と、が同時にかかるが、前記補強リング部３７，３８は、粘土素地を補強し前記力を規制するので、陶磁製皿の破損や歪みの発生を防止することができる。
【００２６】
この発明の第４実施の形態を図７により説明するが、図４〜図６と同一図面符号は、その名称も機能も同一である。
この実施の形態と第３実施の形態（図４〜図６）との相違は、高台３５に滑り止め部材４０を設けたことである。この滑り止め部材４０は、半球状の頭部４０ａと、挿着部４０ｂとを備えており、前記装着部４０ｂは、高台３５下端の凹部３５ａに嵌着されている。この部材４０は、滑り防止機能の他、傷付き防止機能も備えている。
【００２７】
この発明の第５実施の形態を図８により説明するが、図７と同一図面符号は、その名称も機能も同一である。
この実施の形態と第４実施の形態（図７）との相違は、高台３５が断面Ｖ字状に形成され、該高台３５に断面Ｖ字状の滑り止め部材４２が嵌着されていることである。この部材４２は、滑り防止機能の他、傷付き防止機能も備えている。
【００２８】
この発明の第６実施の形態を図９により説明するが、図７と同一図面符号は、その名称も機能も同一である。
この実施の形態と第４実施の形態（図７）との相違は、滑り止め部材４４が、高台３５の内側面３５Ｕに密着する弾性リングであること。この弾性リングは、断面方形状に形成されており、その高さは、高台３５のそれよりわずかに高く形成されている。なお、この弾性リングは、高台３５の外側面３５Ｓに密着させても良い。
【００２９】
この発明の第７実施の形態を図１０により説明する。
この実施の形態と第５実施の形態（図８）との相違は、滑り止め部材４６の頂部４６Ｔに、縦方向切り目４６ａと横方向切り目４６ｂを形成し、頂面を賽の目状に形成したことである。
【００３０】
本発明の実施の形態は、前記に限定されるものではなく、例えば、次のようにすることもできる。なお、本発明の皿は、陶器であっても、又、磁器であっても良く、ここでは両者の総称として、陶磁製皿と称される。
（１）第1実施の形態（図１〜図２）に関して；
ａ：中央補強隆起部を円形状にする代わりに、方形状にすること。
ｂ：皿本体を方形状にする代わりに、円形状にし、又、中央補強隆起部を円形状、又は、方形状にする。
【００３１】
（２）第３実施の形態（図４〜図６）に関して;
ａ：皿本体を円形状にする代わりに、方形状にし、又、高台を円形リング状の代わりに、方形リング状にする。
ｂ：補強リング部を２重の代わりに、３重以上にする。補強リングの数は、皿が大きくなるに従って、多くする。
ｃ：補強リング部の高さを、高台より低くする代わりに、それと同一にする。
ｄ：補強リング部の幅を高台の幅より細く、又は、広くする。
【００３２】
第1実験例
第１実施の形態(図１、図２)に関し、次の条件で陶製皿を製作したが、破損や歪みは発生しなかった。
正方形状の皿本体の一辺の長さ210mm、正方形の中央補強隆起部（乳白色層）の一辺の長さ130mm、中央補強隆起部を囲む床部（ガラス層）の幅40mm、正方形状の装飾壁（油滴天目層）の上端縁の一辺の長さ285mm 
【００３３】
第２実験例
第３実施の形態(図４〜図６)に関し、次の条件で陶製皿を製作したが、破損や歪みは発生しなかった。
円形状の皿本体（ガラス層）の直径200mm、円形状の装飾壁（油滴天目層）の上端縁の直径  245mm、高台の直径185mm  幅5mm  高さ2mm、第1補強リング部の直径115mm幅4mm  高さ1.5mm、第２補強リング部の直径60mm  幅4mm  高さ1.5mm、
【図面の簡単な説明】
【００３４】
【図１】本発明の第１実施の形態を示す平面図である。
【図２】図１のII-II線断面図である。
【図３】本発明の第２実施の形態を示す縦断面図であり、図２に対応する図である。
【図４】本発明の第３実施の形態を示す平面図である。
【図５】底面図である。
【図６】図５のVI-VI線断面図である。
【図７】本発明の第４実施の形態を示す要部拡大縦断面図である。
【図８】本発明の第５実施の形態を示す要部拡大縦断面図である。
【図９】本発明の第６実施の形態を示す要部拡大縦断面図である。
【図１０】本発明の第７実施の形態を示す斜視図である。
【符号の説明】
【００３５】
１    皿
２    皿本体
３    装飾壁
３Ｌ  油滴天目
５    中央補強隆起部
５Ｌ  乳白色層
６    床部
６Ｌ  ガラス層
２０  滑り止め部材
【図１】
2005298258.tif 000003
【図２】
2005298258.tif 000004
【図３】
2005298258.tif 000005
【図４】
2005298258.tif 000006
【図５】
2005298258.tif 000007
【図６】
2005298258.tif 000008
【図７】
2005298258.tif 000009
【図８】
2005298258.tif 000010
【図９】
2005298258.tif 000011
【図１０】
2005298258.tif 000012